(57)【特許請求の範囲】
【請求項１】
上部に開口部を有する箱状の本体と、
前記本体の開口部を塞ぐように設けられた天板と、
前記本体の内部に設けられ、前記天板上に載置された被加熱調理容器を加熱する加熱ユニットと、
前記加熱ユニットの側方に設けられた複数の発光表示ユニットと、
前記加熱ユニットと前記各発光表示ユニットを制御する制御部と、
を備える加熱調理器であって、
前記各発光表示ユニットは、
発光源と、
前記発光源を収容し、前記天板と対向する上部に開口部を有するケースと、
前記ケースの開口部を塞ぐように設けられた表示シートと、
を備え、
前記表示シートは、
前記発光源の光を通過させる通光部と、
前記通光部よりも前記加熱ユニットから離れた位置に設けられ、前記発光源の光を遮光する遮光部と、
を有し、
前記発光源は、前記遮光部の下方に配置されると共に、前記天板側から見た前記通光部の投影面上に位置しない位置に配置されている、
加熱調理器。
【請求項２】
発光源の雰囲気温度を検知する温度検知部を備え、前記制御部は、前記温度検知部の検知温度が前記発光源の耐熱温度以下の温度である基準温度以上になった前記発光表示ユニットが存在するとき、当該発光表示ユニットの発光源に通電する電流を下げる、請求項１に記載の加熱調理器。
【請求項３】
発光源の雰囲気温度を検知する温度検知部を備え、前記制御部は、前記温度検知部の検知温度が前記発光源の耐熱温度以下の温度である基準温度以上になった前記発光表示ユニットが存在するとき、前記加熱ユニットの出力を下げる、請求項１に記載の加熱調理器。
【請求項４】
前記複数の発光表示ユニットの少なくとも１つの発光表示ユニットは、高さ方向から見て前記表示シートの通光部と前記発光源との間に、前記発光源の光を遮光する遮光壁を有する、請求項１に記載の加熱調理器。
【請求項５】
前記遮光壁と前記表示シートとの間には、前記発光源の光を通過させる隙間が設けられている、請求項４に記載の加熱調理器。
【請求項６】
前記遮光壁は、断熱性を有する、請求項５に記載の加熱調理器。
【請求項７】
発光源の雰囲気温度を検知する温度検知部を備え、前記制御部は、前記各発光表示ユニットの前記温度検知部の検知温度の差異に基づいて、前記天板上に載置された前記被加熱調理容器の位置を検知する、請求項１〜６のいずれかに記載の加熱調理器。
【請求項８】
前記制御部は、前記被加熱調理容器を載置すべき位置からずれて前記被加熱調理容器が配置されているとき、前記複数の発光表示ユニットの少なくとも１つの発光表示ユニットの発光源を発光させて使用者に報知する、請求項７に記載の加熱調理器。
【請求項９】
前記制御部は、前記被加熱調理容器を載置すべき位置からずれて前記被加熱調理容器が配置されているとき、前記複数の発光表示ユニットの少なくとも１つの発光表示ユニットの発光源を、前記被加熱調理容器を載置すべき位置に前記被加熱調理容器が配置されているときとは異なる色で発光させる、請求項８に記載の加熱調理器。
【発明の詳細な説明】
【技術分野】
【０００１】
本発明は、被加熱調理容器を載置すべき位置や加熱ユニットが加熱状態にあることなどを表示する発光表示ユニットを備えた加熱調理器に関するものである。
【背景技術】
【０００２】
近年、キッチンキャビネットの収納部の開閉形態は、使い勝手を向上させるために、扉式から引き出し式に変わってきている。また、従来からキッチンキャビネットに組み込まれる誘導加熱調理器などの加熱調理器の下方にも収納部が設けられているが、当該収納部においても引き出し式の収納部が増えてきている。キッチンキャビネットにおいては、より一層の収納量の確保が求められており、加熱調理器の下方の収納部の容積を大きく確保するために、当該収納部側に出っ張らない薄型の加熱調理器の開発が望まれている。【０００３】
従来の加熱調理器としては、例えば、特許文献１（特開２００４−２４７１８６号）に開示されたものがある。図６は、従来の加熱調理器の平面図である。図７は、図６の加熱調理器の断面図である。図８は、図６の加熱調理器が備える発光表示ユニットの断面図である。図９は、図６の加熱調理器がキッチンキャビネットに組み込まれた状態を示す斜視図である。【０００４】
図７及び図９に示すように、従来の加熱調理器は、上部に開口部を有する箱状の本体４１と、本体４１の開口部を塞ぐように配置され、鍋などの被加熱調理容器（図示せず）が載置される平板状の天板４２とを備えている。【０００５】
図７に示すように、本体４１の内部には、１つ以上の加熱ユニット４３が配置されている。加熱ユニット４３は、例えば、天板４２を介して被加熱調理容器を加熱する略円形状の誘導加熱コイルで構成されている。加熱ユニット４３の下方には、加熱ユニット４３の出力を制御する制御装置４４が設けられている。また、加熱ユニット４３の側方には、発光表示ユニット４５が設けられている。発光表示ユニット４５は、加熱ユニット４３によって被加熱調理容器を加熱する際に、被加熱調理容器を載置すべき位置や加熱ユニット４３が加熱状態であることなどを表示するものである。【０００６】
図８に示すように、発光表示ユニット４５は、遮光性を有する箱体４６と、箱体４６の底壁の内面に配置された発光源４７とを備えている。発光源４７は、リードタイプの砲弾型のＬＥＤなどの点光源で構成されている。箱体４６は、上部が天板４２に対向するように配置されている。箱体４６の上部には開口部４８が設けられ、当該開口部４８は表示シート４９で覆われている。表示シート４９は、発光源４７から照射され開口部４８を通過した光を受けて全体が光るように、半透明な材料で形成されている。発光源４７と表示シート４９とは、表示シート４９の光りむらが少なくなるように、空間を空けて配置されている。
【先行技術文献】
【特許文献】
【０００７】
【特許文献１】特開２００４−２４７１８６号公報
【発明の概要】
【発明が解決しようとする課題】
【０００８】
前記従来の加熱調理器において薄型化を図ろうとした場合、発光表示ユニット４５の高さを抑えることが有効であると考えられる。発光表示ユニット４５の高さを抑えるには、発光源４７と表示シート４９との間の空間を狭くすることが考えられる。【０００９】
しかしながら、発光源４７と表示シート４９との間の空間を狭くすると、天板４２を通じて発光表示ユニット４５に伝達される被加熱調理容器の熱により、発光源４７が劣化して、輝度が低下するとともに寿命が短くなる。特に、被加熱調理容器の加熱時に空焚きなどが発生した場合には、被加熱調理容器の温度が例えば３００℃近くに達するため、発光源４７の劣化が顕著に生じる。【００１０】
被加熱調理容器からの熱の影響を小さくするには、発光源４７と天板４２との間に配置する表示シート４９を断熱材で構成することが考えられる。しかしながら、断熱材は、光を吸収してしまうので、表示シート４９としての機能を十分に果たすことができなくなる。【００１１】
また、前記従来の加熱調理器においては、被加熱調理容器が本来載置すべき位置からずれて表示シート４９の上方に配置された場合には、表示シート４９を視認することができないという課題がある。【００１２】
従って、本発明の目的は、前記課題を解決することにあって、発光表示ユニットを備えた加熱調理器において、発光表示ユニットの発光源の劣化を抑えてより一層の薄型化を実現することができるとともに、表示シートの視認性を向上させることができる加熱調理器を提供することを目的とする。
【課題を解決するための手段】
【００１３】
前記目的を達成するために、本発明は以下のように構成する。
本発明の第１態様によれば、上部に開口部を有する箱状の本体と、
前記本体の開口部を塞ぐように設けられた天板と、
前記本体の内部に設けられ、前記天板上に載置された被加熱調理容器を加熱する加熱ユニットと、
前記加熱ユニットの側方に設けられた複数の発光表示ユニットと、
前記加熱ユニットと前記各発光表示ユニットを制御する制御部と、
を備える加熱調理器であって、
前記各発光表示ユニットは、
発光源と、
前記発光源を収容し、前記天板と対向する上部に開口部を有するケースと、
前記ケースの開口部を塞ぐように設けられた表示シートと、
を備え、
前記表示シートは、
前記発光源の光を通過させる通光部と、
前記通光部よりも前記加熱ユニットから離れた位置に設けられ、前記発光源の光を遮光する遮光部と、
を有し、
前記発光源は、前記遮光部の下方に配置されると共に、前記天板側から見た前記通光部の投影面上に位置しない位置に配置されている、
加熱調理器を提供する。
【００１４】
本発明の第２態様によれば、発光源の雰囲気温度を検知する温度検知部を備え、前記制御部は、前記温度検知部の検知温度が前記発光源の耐熱温度以下の温度である基準温度以上になった前記発光表示ユニットが存在するとき、当該発光表示ユニットの発光源に通電する電流を下げる、第１態様に記載の加熱調理器を提供する。
【００１５】
本発明の第３態様によれば、発光源の雰囲気温度を検知する温度検知部を備え、前記制御部は、前記温度検知部の検知温度が前記発光源の耐熱温度以下の温度である基準温度以上になった前記発光表示ユニットが存在するとき、前記加熱ユニットの出力を下げる、第１態様に記載の加熱調理器を提供する。
【００１７】
本発明の第４態様によれば、前記複数の発光表示ユニットの少なくとも１つの発光表示ユニットは、高さ方向から見て前記表示シートの通光部と前記発光源との間に、前記発光源の光を遮光する遮光壁を有する、第１態様に記載の加熱調理器を提供する。
【００１８】
本発明の第５態様によれば、前記遮光壁と前記表示シートとの間には、前記発光源の光を通過させる隙間が設けられている、第４態様に記載の加熱調理器を提供する。
【００１９】
本発明の第６態様によれば、前記遮光壁は、断熱性を有する、第５態様に記載の加熱調理器を提供する。
【００２０】
本発明の第７態様によれば、発光源の雰囲気温度を検知する温度検知部を備え、前記制御部は、前記各発光表示ユニットの前記温度検知部の検知温度の差異に基づいて、前記天板上に載置された前記被加熱調理容器の位置を検知する、第１〜６態様のいずれか１つに記載の加熱調理器を提供する。
【００２１】
本発明の第８態様によれば、前記制御部は、前記被加熱調理容器を載置すべき位置からずれて前記被加熱調理容器が配置されているとき、前記複数の発光表示ユニットの少なくとも１つの発光表示ユニットの発光源を発光させて使用者に報知する、第７態様に記載の加熱調理器を提供する。
【００２２】
本発明の第９態様によれば、前記制御部は、前記被加熱調理容器を載置すべき位置からずれて前記被加熱調理容器が配置されているとき、前記複数の発光表示ユニットの少なくとも１つの発光表示ユニットの発光源を、前記被加熱調理容器を載置すべき位置に前記被加熱調理容器が配置されているときとは異なる色で発光させる、第８態様に記載の加熱調理器を提供する。
【発明の効果】
【００２３】
本発明にかかる加熱調理器によれば、発光源の雰囲気温度を検知する温度検知部を有しているので、被加熱調理容器の空焚きなどによる発光源の異常加熱を検知することができる。これにより、発光源の異常加熱を使用者に報知したり、発光源に通電する電流を自動的に下げたり、加熱ユニットの出力を自動的に下げたりするなどの処置が可能になり、発光源の劣化を抑えることができる。従って、発光表示ユニットの高さを抑えることができ、加熱調理器のより一層の薄型化を実現することができる。【００２４】
また、本発明にかかる加熱調理器によれば、複数の発光表示ユニットを備えているので、被加熱調理容器が本来載置すべき位置からずれて１つの発光表示ユニットの表示シート上に配置された場合であっても、他の発光表示ユニットの表示シートを光らせることで、表示シートの視認性を向上させることができる。【００２５】
また、本発明にかかる加熱調理器によれば、各発光表示ユニットが温度検知部を有しているので、各温度検知部の検知温度の差異に基づいて天板上に載置された被加熱調理容器の実際の位置を検知することができる。また、被加熱調理容器が本来載置すべき位置からどの方向にずれて配置されているかということも、使用者に報知することができる。
【図面の簡単な説明】
【００２６】
本発明のこれらと他の目的と特徴は、添付された図面についての好ましい実施形態に関連した次の記述から明らかになる。この図面においては、
【図１】図１は、本発明の実施形態にかかる加熱調理器が備える発光表示ユニットの分解斜視図であり、
【図２】図２は、本発明の実施形態にかかる加熱調理器が備える発光表示ユニットの断面図であり、
【図３】図３は、本発明の実施形態にかかる加熱調理器が備える発光表示ユニットの組み立て斜視図であり、
【図４】図４は、本発明の実施形態にかかる加熱調理器の平面図であり、
【図５】図５は、本発明の実施形態にかかる加熱調理器の断面図であり、
【図６】図６は、従来の加熱調理器の平面図であり、
【図７】図７は、従来の加熱調理器の断面図であり、
【図８】図８は、従来の加熱調理器の発光表示ユニットの断面図であり、
【図９】図９は、従来の加熱調理器をキッチンキャビネットに組み込んだ状態を示す斜視図である。
【発明を実施するための形態】
【００２７】
本発明の記述を続ける前に、添付図面において同じ部品については同じ参照符号を付している。
以下、本発明の実施形態について、図面を参照しながら説明する。なお、この実施形態によって本発明が限定されるものではない。
【００２８】
《実施形態》
図１〜図５を用いて、本発明の実施形態にかかる加熱調理器を説明する。図１は、本実施形態にかかる加熱調理器が備える発光表示ユニットの分解斜視図である。図２は、本実施形態にかかる加熱調理器が備える発光表示ユニットの断面図である。図３は、本実施形態にかかる加熱調理器の発光表示ユニットの組み立て斜視図である。図４は、本実施形態にかかる加熱調理器の平面図である。図５は、本実施形態にかかる加熱調理器の断面図である。
【００２９】
図４又は図５に示すように、本実施形態にかかる加熱調理器は、上部に開口部を有する箱状の本体２１と、本体２１の開口部を塞ぐように設けられ、鍋などの被加熱調理容器（図示せず）が載置される平板状の天板２２とを備えている。
【００３０】
本体２１の内部には、１つ以上の加熱ユニット２３が配置されている。図４及び図５は、加熱ユニット２３を２つ設けた例を示している。加熱ユニット２３は、例えば、天板６２を介して被加熱調理容器を加熱する誘導加熱コイルで構成されている。加熱ユニット２３の出力は、天板２２に設けられた操作部２４の運転ボタン２４ａ及び操作ボタン２４ｂを操作することによって調整することができる。
【００３１】
加熱ユニット２３の側方には、加熱ユニット２３の略円形状の外周部に沿うように、複数の発光表示ユニット２５が設けられている。発光表示ユニット２５は、加熱ユニット２３によって被加熱調理容器を加熱する際に、被加熱調理容器を載置すべき位置や加熱ユニット２３が加熱状態であることなどを表示するものである。図４は、１つの加熱ユニット２３に対して４つの発光表示ユニット２５を均等な間隔で設けた例を示している。
【００３２】
図１〜図３に示すように、発光表示ユニット２５は、遮光性を有するケース２６と、ケース２６内に設けられた発光源２８とを備えている。
【００３３】
ケース２６は、上部が天板２２と対向するように設けられている。天板２２は、少なくともケース２６の上部と対向する部分が光を透過するように構成されている。ケース２６は、底壁２６ｃが略二等辺三角形の形状を有し、当該略二等辺三角形の底辺２６ｃａ側が加熱ユニット２６の外周部と対向するように配置されている。なお、「略二等辺三角形」とは、完全な二等辺三角形のみならず、角を丸めたり、角を落としたり、辺を円弧状にするなどの変形を加えた二等辺三角形を含むことを意味する。すなわち、ケース２６の底壁２６ｃは、概ね二等辺三角形と認識し得る形状であればよい。
【００３４】
ケース２６の底壁２６ｃの底辺２６ｃａは、加熱ユニット２３の略円形状の外周部に沿うように円弧状に形成され、当該底辺２６ｃａには外周壁（側壁）の一部である反射壁２６ａが立設されている。すなわち、反射壁２６ａは、加熱ユニット２３の略円形状の外周部に沿うように円弧状に形成されている。
【００３５】
ケース２６の底壁２６ｃの２つの等辺２６ｃｂ，２６ｃｂには、それぞれ、外周壁の他部であるガイド壁２６ｂが立設されている。底壁２６ｃの底辺２６ｃａから離れた頂点の近傍には基板２７が配設され、当該基板２７上に発光源２８と当該発光源２８の雰囲気温度を検知する温度検知部２９とが配置（実装）されている。
【００３６】
発光源２８は、１つ以上の点光源を有している。図３〜図５は、点光源として２つの表面実装型のＬＥＤ２８ａ，２８ｂを設けた例を示している。ここでは、一方のＬＥＤ２８ａとして白色に発光するＬＥＤを使用し、他方のＬＥＤ２８ｂとして赤色に発光するＬＥＤを使用するものとする。
【００３７】
ケース２６の上部には開口部が設けられ、当該開口部は表示シート３０で塞がれている。表示シート３０は、発光源２８の光を通過させる通光部３０ａと、発光源２８の光を遮断する遮光部３０ｂとを有している。通光部３０ａは、略円形状の加熱ユニット２３の外周部に沿うように円弧状に形成されている。通光部３０ａには、発光源２８の光を拡散させる光拡散処理を施されている。光拡散処理としては、光拡散シートの貼付、スモーク処理などが挙げられる。遮光部３０ｂは、通光部３０ａよりも加熱ユニット２３から離れた位置に設けられ、当該遮光部３０ｂの下方に発光源２８が配置されている。すなわち、発光源２８は、天板２２側から見た表示シート３０の通光部３０ａの投影面上に位置しないように配置されている。
【００３８】
発光表示ユニット２５の高さ方向から見て通光部３０ａと発光源２８との間には、発光源２８の光を遮光する遮光壁３１が設けられている。温度検知部２９は、遮光壁３１に対して発光源２８と同じ側に配置されている。遮光壁３１と表示シート３０との間には、発光源２８の光を通過させるように隙間３３が設けられている。
【００３９】
また、図５に示すように、加熱ユニット２３及び発光表示体２５の下方には、制御部３２が設けられている。制御部３２は、操作部２４の運転ボタン２４ａ及び操作ボタン２４ｂにされた操作に基づいて、加熱ユニット２３及び発光源２８の制御を行う。
【００４０】
具体的には、制御部３２は、温度検知部２９の検知温度が（第１）基準温度（例えば８０℃）以上になった発光表示ユニット２５が存在するとき、当該発光表示ユニット２５の発光源２８に通電する電流を下げるとともに、加熱ユニット２３の出力を下げる制御を行う。また、制御部３２は、温度検知部２９の検知温度が前記基準温度以上である状態が所定時間継続すると、当該発光表示ユニット２５の発光源２８の通電を停止するとともに、加熱ユニット２３の駆動を停止する制御を行う。なお、基準温度は、発光源２８の耐熱温度以下の温度である。「発光源２８の耐熱温度」とは、発光源２８が備えるＬＥＤ２８ａ，２８ｂなどの電子部品の耐熱温度をいう。
【００４１】
また、１つの発光表示ユニット２５の表示シート３０を覆い隠すように被加熱調理容器が本来載置すべき位置からずれて配置されている場合、各発光表示ユニット２５の温度検知部２９の検知温度に差異が生じる。制御部３２は、各発光表示ユニット２５の温度検知部２９の検知温度の差異に基づいて、天板２２上に載置された被加熱調理容器の位置を検知する。具体的には、制御部３２は、１つの発光表示ユニット２５の温度検知部２９の検知温度と他の発光表示ユニット２５の温度検知部２９の検知温度との温度差が第２基準温度以上（例えば３０℃以上）であるとき、天板２２上に載置された被加熱調理容器の位置を検知する。被加熱調理容器が本来載置すべき位置からずれて配置されているとき、制御部３２は、複数の発光表示ユニット２５の少なくとも１つの発光表示ユニット２５の発光源２８を発光させて使用者に報知する制御を行う。ここでは一例として、制御部３２は、被加熱調理容器によって表示シート３０が覆い隠されている発光表示ユニット２５以外の発光表示ユニット２５の発光源２８を点滅させる制御を行うものとする。
【００４２】
次に、本実施形態にかかる加熱調理器の基本的な動作の一例について説明する。
【００４３】
まず、運転ボタン２４ａがＯＮにされると、制御部３２の制御により全ての発光表示ユニット２５のＬＥＤ２８ａが通電され、ＬＥＤ２８ａが白色に発光する。ＬＥＤ２８ａの光は、ケース２６の内面又は遮光部３０ｂの発光源２８側の面で反射され、通光部３０ａに導かれる。これにより、通光部３０ａがＬＥＤ２８ａの白色の光により間接照明され、被加熱調理容器を載置すべき位置が表示される。
【００４４】
その後、天板２２上に被加熱調理容器が載置されるとともに操作ボタン２４ｂが押されると、制御部３０の制御により加熱ユニット２３が駆動され、被加熱調理容器の加熱が開始される。この加熱の間、制御部３０の制御によりＬＥＤ２８ａに代えてＬＥＤ２８ｂが通電され、全ての発光表示ユニット２５のＬＥＤ２８ｂが赤色に発光する。ＬＥＤ２８ｂの光は、ケース２６の内面又は遮光部３０ｂの発光源２８側の面で反射され、通光部３０ａに導かれる。これにより、通光部３０ａがＬＥＤ２８ｂの赤色の光により間接照明され、加熱ユニット２３が加熱状態にあることが表示される。
【００４５】
ここで、１つの発光表示ユニット２５の表示シート３０を覆い隠すように被加熱調理容器が本来載置すべき位置からずれて配置されている場合、各発光表示ユニット２５の温度検知部２９の検知温度に差異が生じる。この差異が第２基準温度以上になると、制御部３２の制御により、温度検知部２９の検知温度が高い発光表示ユニット２５のＬＥＤ２８ｂに通電する電流が下げられるとともに、加熱ユニット２３の出力が下げられる。また、このとき、制御部３２の制御により、温度検知部２９の検知温度が低い発光表示ユニット２５のＬＥＤ２８ｂが間欠的に通電され、ＬＥＤ２８ｂが点滅する。これにより、温度検知部２９の検知温度が低い発光表示ユニット２５の通光部３０ａがＬＥＤ２８ｂの赤色の光により間接照明されて点滅し、被加熱調理容器が本来載置すべき位置に対してずれて配置されていることが報知される。
【００４６】
前記報知後、温度検知部２９の検知温度が基準温度以上である状態が所定時間継続されると、制御部３２の制御により、ＬＥＤ２８ｂの通電が停止されて通光部３０ａが消灯するとともに、加熱ユニット２３の駆動が停止される。
【００４７】
一方、前記報知後、被加熱調理容器が本来載置すべき位置に配置されて温度検知部２９の検知温度が基準温度より低くなった場合には、制御部３０の制御により加熱ユニット２３の出力が元に戻される。また、このとき、全ての発光表示ユニット２５のＬＥＤ２８ｂが連続的に通電される。これにより、全ての発光表示ユニット２５の通光部３０ａがＬＥＤ２８ｂの赤色の光により間接照明され、加熱ユニット２３が加熱状態にあることが表示される。
【００４８】
その後、被加熱調理容器の加熱を終了するために運転ボタン２４ａがＯＦＦにされると、制御部３２の制御により全ての発光表示ユニット２５のＬＥＤ２８ｂが間欠的に通電され、ＬＥＤ２８ｂが点滅する。これにより、全ての発光表示ユニット２５の通光部３０ａがＬＥＤ２８ｂの赤色の光により間接照明されて点滅し、被加熱調理容器を載置すべき位置が高温であることが表示される。その後、所定時間経過、あるいは天板２２の温度が所定温度まで低下すると、制御部３２の制御により全ての発光表示ユニット２５のＬＥＤ２８ｂの通電が停止され、通光部３０ａが消灯する。
【００４９】
以上、本実施形態にかかる加熱調理器によれば、発光源２８の雰囲気温度を検知する温度検知部２９を有しているので、被加熱調理容器の空焚きなどによる発光源２８の異常加熱を検知することができる。これにより、発光源２８の異常加熱を使用者に報知したり、発光源２８に通電する電流を自動的に下げたり、加熱ユニット２３の出力を自動的に下げたりするなどの処置が可能になり、発光源２８の劣化を抑えることができる。従って、発光表示ユニット２５の高さを抑えることができ、加熱調理器のより一層の薄型化を実現することができる。
【００５０】
なお、発光源２８の雰囲気温度が高温である場合、発光源２８の許容電流値が低くなる。このため、発光源２８に通電する電流値を通常と同じにした場合、発光源２８が劣化しやすい。これに対して、本実施形態にかかる加熱調理器によれば、温度検知部２９の検知温度が基準温度以上になった発光表示ユニット２５が存在するとき、当該発光表示ユニット２５の発光源２８に通電する電流を下げるようにしているので、発光源２８の劣化を抑えることができる。
【００５１】
また、本実施形態にかかる加熱調理器によれば、複数の発光表示ユニット２５を備えているので、被加熱調理容器が本来載置すべき位置からずれて１つの発光表示ユニット２５の表示シート３０上に配置された場合であっても、他の発光表示ユニット２５の通光部３０ａを光らせることで、表示シート３０の視認性を向上させることができる。
【００５２】
また、本実施形態にかかる加熱調理器によれば、各発光表示ユニット２５が温度検知部２９を有しているので、各温度検知部２９の検知温度の差異に基づいて天板２２上に載置された被加熱調理容器の実際の位置を検知することができる。また、被加熱調理容器が本来載置すべき位置からどの方向にずれて配置されているかということも、使用者に報知することができる。これにより、被加熱調理容器を本来載置すべき位置に配置するように、使用者に是正を促すことができる。
【００５３】
また、本実施形態にかかる加熱調理器によれば、発光源２８を表示シート３０の遮光部３０ｂの下方に配置して、表示シート３０の通光部３０ａからは発光源２８の光を直接見ることができないようにしている。すなわち、表示シート３０の通光部３０ａが発光源２８の光により間接照明されるようにしている。これにより、表示シート３０の光むらを大幅に抑えることができる。
【００５４】
また、本実施形態にかかる加熱調理器によれば、通光部３０ａよりも加熱ユニット２３から離れた位置に遮光部３０ｂを設けているので、当該遮光部３０ｂの下方に配置される発光源２８は、加熱ユニット２３の上方に配置される被加熱調理容器から離れて配置されることになる。従って、発光源２８に対する被加熱調理容器からの熱の影響が小さくなり、発光源２８の輝度や寿命の低下を抑えることができる。
【００５５】
従って、本実施形態にかかる加熱調理器によれば、発光源２８と表示シート３０との間の空間を狭くすることができ、発光表示ユニット２５の高さを抑えて、加熱調理器のより一層の薄型化を実現することができる。
【００５６】
また、本実施形態にかかる加熱調理器によれば、ケース２６の底壁２６ｃの底辺２６ｃａから離れた頂点の近傍に発光源２８を配置している。すなわち、加熱ユニット２３の外周部から最も離れたケース２６内の位置に発光源２８を配置するようにしている。これにより、発光源２８に対する被加熱調理容器からの熱の影響を小さくすることができ、発光源２８の輝度や寿命の低下を一層抑えることができる。また、底辺２６ｃａから離れた頂点の近傍に発光源２８を配置することで、発光源２８の光は、２つの等辺２６ｃｂから立設されたガイド壁２６ｂにガイドされ、より均一に且つ高輝度で通光部３０ａに到達する。従って、通光部３０ａを均一に且つ高輝度で光らせるために発光源２８をケース２６内の複数箇所に設けるなどの必要性を無くすことができる。
【００５７】
また、本実施形態にかかる加熱調理器によれば、ケース２６の反射壁２６ａを、加熱ユニット２３の外周部に沿うように円弧状に形成しているので、反射壁２６ａと加熱ユニット２３との距離を小さくすることができる。これにより、複数の加熱ユニット２３を隣接して配置するときに、互いの加熱ユニット２３間の距離を小さくすることが可能になり、加熱調理器をコンパクトに構成する、あるいは、同じスペースでより多くの加熱ユニット２３を配置することが可能になる。
【００５８】
また、従来の加熱調理器においては、発光源がリードタイプの砲弾型のＬＥＤで構成されているため、発光源の先端部の高さは、ＬＥＤ本体とリード部との合計高さとなる。これに対して、本実施形態にかかる加熱調理器によれば、発光源２８として表面実装型のＬＥＤ２８ａ，２８ｂを用いているので、サイズが小さいとともにリード部が無く、その分、発光源２８の高さを低くすることができる。これにより、発光表示ユニット２５の高さを抑えて、加熱調理器のより一層の薄型化を実現することができる。
【００５９】
また、本実施形態にかかる加熱調理器によれば、表示シート３０の通光部３０ａに光拡散処理が施されているので、通光部３０ａに導かれる発光源２８の光に多少のむらがあったとしても、通光部３０ａの光むらを抑えて、見栄えを大幅に向上させることができる。
【００６０】
また、発光表示ユニット２５の占有する面積を小さくするために、発光源２８と反射壁２６ａとの距離を小さくした場合には、発光源２８と通光部３０ａとの距離が小さくなる。この場合、発光源２８の光が通光部３０ａに直接到達する直接光の割合が増加し、通光部３０ａの光むらが大きくなる。具体的には、通光部３０ａの発光源２８の近傍部分が明るくなる一方で、通光部３０ａの発光源２８から離れた端部部分が暗くなる。
【００６１】
これに対して、本実施形態にかかる加熱調理器によれば、通光部３０ａと発光源２８との間に遮光壁３１が設けられているので、遮光壁３１の大きさを調整することにより、発光源２８の光が通光部３０ａに直接到達する直接光を低減することができる。これにより、通光部３０ａの発光源２８の近傍部分と通光部３０ａの発光源２８から離れた端部部分との明るさのバランスを調整することができ、発光源２８と通光部３０ａとの距離を小さくした場合であっても、通光部３０ａの光むらを抑えることができる。従って、発光源２８と通光部３０ａとの距離を小さくして、発光表示ユニット２５の占有する面積を小さくすることができる。
【００６２】
また、遮光壁３１を設けた場合には、通光部３０ａの遮光壁３１の近傍部分が暗くなりやすい。このことは、特に、遮光壁３１の高さＨ及び幅Ｗを大きくした場合に顕著になる。
【００６３】
これに対して、本実施形態にかかる加熱調理器によれば、遮光壁３１と表示シート３０との間に隙間３３が設けられているので、隙間３３の大きさを調整することにより、通光部３０ａの発光源２８の近傍部分の明るさを調整することができる。
【００６４】
また、本実施形態にかかる加熱調理器によれば、発光源２８が白色に発光するＬＥＤ２８ａと赤色に発光するＬＥＤ２８ｂとを有しているので、被加熱調理容器を載置すべき位置の表示など、目的に応じて通光部３０ａの発光色を変えることができる。これにより、視認性を向上させることができる。なお、ＬＥＤ２８ａ，２８ｂの点灯のタイミング、点滅等の点灯のさせ方、発光色などについては、前記に限定されるものではなく、任意に設定することができる。
【００６５】
なお、本発明は前記実施形態に限定されるものではなく、その他種々の態様で実施できる。例えば、前記では、ＬＥＤ２８ａ，２８ｂのいずれか一方のみを点灯又は点滅させ、両方が点灯しないようにしたが、本発明はこれに限定されず、ＬＥＤ２８ａ，２８ｂの両方を点灯させてもよい。白色に発光するＬＥＤ２８ａと赤色に発光するＬＥＤ２８ｂとを同時に点灯させることで、通光部３０ａをピンク色に発色させることができる。すなわち、２つのＬＥＤ２８ａ，２８ｂにより、通光部３０ａを白、赤、ピンクの３色に光らせることができる。これにより、通光部３０ａの発光色を多様化することができ、目的に応じて通光部３０ａの発光色を変えることで、視認性を一層向上させることができる。なお、被加熱調理容器が本来載置すべき位置からずれて配置されているとき、被加熱調理容器が本来載置すべき位置に配置されているときとは異なる色で発光するように、制御部３２が少なくとも１つの発光表示ユニット２５の発光源２８を制御することが好ましい。これにより、視認性をより一層向上させることができる。なお、赤色、青色、又は緑色に発光する３つのＬＥＤで発光源２８を構成すると、通光部３０ａをほぼ全ての色に発色させることが可能になる。また、複数の色（例えば、赤色、青色、及び緑色）を発色する単一のＬＥＤで発光源２８を構成してもよい。
【００６６】
また、前記では、温度検知部２９の検知温度が基準温度以上になった発光表示ユニット２５が存在するとき、当該発光ユニット２５の発光源２８に通電する電流を下げるとともに加熱ユニット２３の出力を下げるようにしたが、本発明はこれに限定されない。例えば、温度検知部２９の検知温度が基準温度以上になった発光表示ユニット２５が存在するとき、当該発光ユニット２５の発光源２８の通電を直ちに停止するとともに加熱ユニット２３の駆動を直ちに停止するようにしてもよい。また、発光源２８に通電する電流を下げるタイミングと、加熱ユニット２３の出力を下げるタイミングとは同時でなくてもよい。同様に、発光源２８の通電を停止するタイミングと、加熱ユニット２３の駆動を停止するタイミングとは同時でなくてもよい。
【００６７】
また、前記では、遮光壁３１は、遮光性のみを有するように構成したが、本発明はこれに限定されない。例えば、遮光壁３１を断熱材で形成するなどして、遮光壁３１が遮光性と遮熱性の両方の機能を有するように構成してもよい。これにより、発光源２８に対する被加熱調理容器からの熱の影響をより小さくすることができ、発光源２８の輝度や寿命の低下をより一層抑えることができる。
【産業上の利用可能性】
【００６８】
本発明にかかる加熱調理器は、発光表示ユニットを備えた加熱調理器において、発光表示ユニットの発光源の劣化を抑えてより一層の薄型化を実現することができるとともに、表示シートの視認性を向上させることができるので、特に、キッチンキャビネットに組み込まれる誘導加熱調理器として有用である。【００６９】
本発明は、添付図面を参照しながら好ましい実施形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。【００７０】
２００９年７月２４日に出願された日本国特許出願Ｎｏ．２００９−１７２６９１号の明細書、図面、および特許請求の範囲の開示内容は、全体として参照されて本明細書の中に取り入れられるものである。
【図１】
0005607050.tif 000002
【図２】
0005607050.tif 000003
【図３】
0005607050.tif 000004
【図４】
0005607050.tif 000005
【図５】
0005607050.tif 000006
【図６】
0005607050.tif 000007
【図７】
0005607050.tif 000008
【図８】
0005607050.tif 000009
【図９】
0005607050.tif 000010